(57)【要約】【課題】車内の座席シートの上で簡易に使用することができ、取り扱いに便利なおむつ替え具を提供する。【解決手段】２つの板状部１ａ，１ｂを折りたたんだ状態及び略面一となるように広げた状態に変更可能な基体１と、上面が略面一となるように広げた２つの板状部１ａ，１ｂの下側に配置される弾性体２と、上面が略面一となるように広げた２つの板状部１ａ，１ｂの上側に装着される汚れ防止マット４とを備え、基体１は、略面一となる状態で隣り合う２つの板状部１ａ，１ｂの端部同士を折り曲げ自在に結合してあり、弾性体２は、直方体形状の２個の弾性部材を互いに面同士で接触させて所定方向に並べ、２つの弾性部材を並び方向と直交する方向の一方の面同士に亘って可撓性シートを接着して連結してある。【選択図】図９
2010184078.tif 000002
【特許請求の範囲】
【請求項１】
複数の板状部を有し、該複数の板状部を折りたたんだ状態及び略面一となるように広げた状態に変更可能な基体と、
上面が略面一となるように広げた前記複数の板状部の下側に配置される弾性体と、
上面が略面一となるように広げた前記複数の板状部の上側に装着される汚れ防止マットと
を備えることを特徴とするおむつ替え具。
【請求項２】
前記基体は、略面一となる状態で隣り合う前記複数の板状部の端部同士を折り曲げ自在に結合してあることを特徴とする請求項１に記載のおむつ替え具。
【請求項３】
前記複数の板状部は、１つの板材に溝を設けて区画して形成してあることを特徴とする請求項２に記載のおむつ替え具。
【請求項４】
前記板材は、不織布にて構成してあることを特徴とする請求項３に記載のおむつ替え具。
【請求項５】
前記弾性体は、直方体形状の２個の弾性部材を有し、該２個の弾性部材を互いに面同士で接触させたときに該接触した面と直交する方向の一方の面同士に亘って可撓性シートを接着して連結してあることを特徴とする請求項１から４のいずれか１項に記載のおむつ替え具。
【請求項６】
前記弾性体は、直方体形状の３個以上の弾性部材を有し、該３個以上の弾性部材を互いに面同士で接触させて所定方向に並べたときに隣接する２つの弾性部材を並び方向と直交する方向の一方の面同士に亘って可撓性シートを接着して連結し、該一方の面に可撓性シートを接着した弾性部材と該弾性部材に並び方向で次に隣接する弾性部材とを並び方向と直交する方向の他方の面同士に亘って可撓性シートを接着して連結してあることを特徴とする請求項１から４のいずれか１項に記載のおむつ替え具。
【請求項７】
前記汚れ防止マットは、吸収した水分を拡散させる拡散性を有する吸水シートを上側に備え、該吸水シートの下面に滑り止め層を形成してあることを特徴とする請求項１から６のいずれか１項に記載のおむつ替え具。
【請求項８】
前記汚れ防止マットは、吸水シートと滑り止め層の間に防水層を備えていることを特徴とする請求項７に記載のおむつ替え具。
【請求項９】
前記滑り止め層は、表面側に開口した複数の微小気泡を有する樹脂の層であることを特徴とする請求項７又は８に記載のおむつ替え具。
【請求項１０】
前記滑り止め層は、複数の凸条が離隔して並んだ構造を有することを特徴とする請求項７から９のいずれか１項に記載のおむつ替え具。
【発明の詳細な説明】
【技術分野】
【０００１】
本発明は、自動車などの車内で使用するためのおむつ替え具に関する。
【背景技術】
【０００２】
従来から自動車の車内で使用するおむつ替え具について検討がなされている。例えば、前部座席の背もたれ部の背面側にベビーベッドを収納保持しておき、使用時はベビーベッドを前部座席の背もたれ部から後方側に引き出して水平状態にした後、乳幼児をベッドの上に寝かせておむつ替えや着替え等をすることができる車両用シートのシートバックが公知である（特許文献１参照）。
また、リアハッチバック車の荷物室にベビーベッドを立てた状態で収納し、使用時はハッチバックのドアを開けてベッドを後方側に倒して水平状態にし、乳幼児をベッドの上に寝かせておむつ替えをすることができるオムツ換え用簡易ベビーベッドが公知である（特許文献２参照）。
【先行技術文献】
【特許文献】
【０００３】
【特許文献１】特開平１１−３３４４３４号公報
【特許文献２】特開２００５−９５２０８号公報
【発明の概要】
【発明が解決しようとする課題】
【０００４】
特許文献１に記載のシートバックでは、特別な加工が必要で高価になるとともに、ベビーベッドをシートバックから引き出す操作を要し、簡易に使用することができず、不便である。また、特許文献２に記載の簡易ベビーベッドでは、車の荷物室に特別な装備が必要であるとともに、車内でのおむつ替えができず、不便である。
【０００５】
本発明は、上述したような事情に鑑みてなされたものであり、車内の座席シートの上で簡易に使用することができ、取り扱いに便利なおむつ替え具を提供することを目的とする。
【０００６】
また本発明は、高い水分吸収効果を有するとともに、汚れた場合に手軽に取り外して洗濯し、継続使用することができる汚れ防止マットを備えたおむつ替え具を提供することを目的とする。
【課題を解決するための手段】
【０００７】
第１の発明に係るおむつ替え具は、複数の板状部を有し、該複数の板状部を折りたたんだ状態及び略面一となるように広げた状態に変更可能な基体と、上面が略面一となるように広げた前記複数の板状部の下側に配置される弾性体と、上面が略面一となるように広げた前記複数の板状部の上側に装着される汚れ防止マットとを備えることを特徴とする。
【０００８】
第１の発明においては、傾斜した座席シートの高さが低い方に弾性体を配置し、略面一となるように広げた基体の複数の板状部の一方端部を弾性体の上に載せるとともに、他方端部を高さが高い方の座席シート上に載せて複数の板状部が略水平状態となるように調整し、その略水平状態の複数の板状部の上側に装着した汚れ防止マットの上に幼児を寝かせておむつ替えをする。おむつ替え具を使用しない場合は、基体の複数の板状部を折りたたんだ状態にする。
【０００９】
第２の発明に係るおむつ替え具は、前記基体は、略面一となる状態で隣り合う前記複数の板状部の端部同士を折り曲げ自在に結合してあることを特徴とする。
第２の発明においては、端部同士が折り曲げ自在に結合されている複数の板状部を該端部で折り曲げてたたんだ状態にすることができ、該複数の板状部の端部同士を真直ぐになるように伸ばして略面一となるように広げた状態にすることができる。
【００１０】
第３の発明に係るおむつ替え具は、前記複数の板状部は、１つの板材に溝を設けて区画して形成してあることを特徴とする。
第３の発明においては、１つの板材に溝を設け、該溝で区画された板材の各部分が複数の板状部となる。
【００１１】
第４の発明に係るおむつ替え具は、前記板材は、不織布にて構成してあることを特徴とする。
第４の発明においては、不織布で構成された板材に溝を設けて複数の板状部を区画形成した場合、板状部の端部同士は不織布で結合されるので、折り曲げ操作が容易であり、しかも折り曲げに対する耐久性を確保することができる。
【００１２】
第５の発明に係るおむつ替え具は、前記弾性体は、直方体形状の２個の弾性部材を有し、該２個の弾性部材を互いに面同士で接触させたときに該接触した面と直交する方向の一方の面同士に亘って可撓性シートを接着して連結してあることを特徴とする。
第５の発明においては、可撓性シートを接着して連結してある直方体形状の２個の弾性部材を該可撓性シートが接着してある面を内側にして両方の面同士が接するように折り曲げることにより、該面同士が接する方向の弾性体の厚みが弾性部材の厚みの２個分の厚みとなる。逆に、可撓性シートが接着してある面同士が接した２つの弾性部材を可撓性シートが接着していない面同士が接するまで折り曲げることにより、弾性体の厚みが弾性部材の厚みになる。このようにして、弾性体の厚みを２段階に変更することができる。
【００１３】
第６の発明に係るおむつ替え具は、前記弾性体は、直方体形状の３個以上の弾性部材を有し、該３個以上の弾性部材を互いに面同士で接触させて所定方向に並べたときに隣接する２つの弾性部材を並び方向と直交する方向の一方の面同士に亘って可撓性シートを接着して連結し、該一方の面に可撓性シートを接着した弾性部材と該弾性部材に並び方向で次に隣接する弾性部材とを並び方向と直交する方向の他方の面同士に亘って可撓性シートを接着して連結してあることを特徴とする。
【００１４】
第６の発明においては、可撓性シートを接着して連結してある直方体形状の３個以上の弾性部材において隣接する２つの弾性部材を該可撓性シートが接着してある面を内側にして両方の面同士が接するように折り曲げることにより、該面同士が接する方向の弾性体の厚みが厚くなり、この折り曲げ操作を繰り返すことにより、弾性部材の厚みを単位として折り曲げた弾性部材の個数分、弾性体の厚みが厚くなる。逆に、可撓性シートが接着してある面同士が接した２つの弾性部材を該面同士が離間し、可撓性シートが接着していない面同士が接するまで折り曲げる操作を繰り返すことにより、弾性部材の厚みを単位として弾性体の厚みが薄くなる。このようにして、弾性体の厚みを変更することができる。
【００１５】
第７の発明に係るおむつ替え具は、前記汚れ防止マットは、吸収した水分を拡散させる拡散性を有する吸水シートを上側に備え、該吸水シートの下面に滑り止め層を形成してあることを特徴とする。
第７の発明においては、略水平状態にした複数の板状部の上面に汚れ防止マットの下面の滑り止め層を押し当てることにより、滑り止め層が板状部の表面に引っ掛かり、汚れ防止マットが複数の板状部の上側に装着される。おむつ替え中におむつ等から飛散した水分は吸水シートの表面から吸収され、吸水シートによって拡散され、蒸発する。汚れ防止マットを板状部の表面から引っ張ることにより、板状部の表面に付いている滑り止め層がはがれ、汚れ防止マットが取り外される。
【００１６】
第８の発明に係るおむつ替え具は、前記汚れ防止マットは、吸水シートと滑り止め層の間に防水層を備えていることを特徴とする。
第８の発明においては、吸水シートが吸収した水分は、防水層によって滑り止め層への浸入が阻止される。
【００１７】
第９の発明に係るおむつ替え具は、前記滑り止め層は、表面側に開口した複数の微小気泡を有する樹脂の層であることを特徴とする。
第９の発明においては、滑り止め層を構成する樹脂の層の表面側に開口した複数の微小気泡が真空吸着作用をなすことによって当該樹脂の層が板状部の表面に吸着され、汚れ防止マットが板状部の上側に装着される。
【００１８】
第１０の発明に係るおむつ替え具は、前記滑り止め層は、複数の凸条が離隔して並んだ構造を有することを特徴とする。
第１０の発明においては、汚れ防止マットを板状部の表面に押し付けて装着するときに凸条の頂部部分が板状部の表面に当接し、凸条の谷部は板状部の表面から離れているので、凸条の頂部に押圧力が集中して滑り止め層を良好に装着することができ、また汚れ防止マットを取り外すときは滑り止め層を板状部の表面から綺麗に剥がすことができる。
【発明の効果】
【００１９】
第１の発明に係るおむつ替え具によれば、おむつ替え具を使用する場合は、折りたたんだ状態の複数の板状部を広げて弾性体及び座席シートの上に載置した後、複数の板状部の上側に汚れ防止マットを装着すれば使用できる状態になり、一方、おむつ替え具を使用しない場合は、複数の板状部を折りたたんでコンパクトな状態にすることができる。
従って、車内の座席シートの上で簡易に使用することができ、取り扱いに便利なおむつ替え具が提供される。
【００２０】
第２の発明に係るおむつ替え具によれば、端部同士が折り曲げ自在に結合されている複数の板状部を折り曲げてたたんだ状態にし、また伸ばして使用状態とすることができるので、操作が簡単なおむつ替え具が提供される。
【００２１】
第３の発明に係るおむつ替え具によれば、１つの板材に溝を設けて区画することで複数の板状部が形成されるので、複数の板状部を有する基体の製作が簡単であるおむつ替え具が提供される。
【００２２】
第４の発明に係るおむつ替え具によれば、前記板材を不織布にて構成することにより、折り曲げ操作が容易であり、しかも折り曲げに対する耐久性を確保することが可能となるおむつ替え具が提供される。
【００２３】
第５及び第６の発明に係るおむつ替え具によれば、弾性体の厚みを変更することができるので、座席シートの傾斜の状態に合わせて弾性体の厚さを変更し、弾性体及び座席シートの上に載置した複数の板状部を略水平状態にする操作を適切に行うことが可能となるおむつ替え具が提供される。
【００２４】
第７の発明に係るおむつ替え具によれば、汚れ防止マットの上側の吸水シートが水分を吸収して拡散させ、蒸発させるので水分吸収効果が高い。汚れ防止マットの下面の滑り止め層を板状部の表面に押し当てるだけで装着することができる。使用後、汚れ防止マットを板状部の表面から取り外し、洗濯することができる。
従って、高い水分吸収効果を有するとともに、汚れた場合に手軽に取り外して洗濯し、継続使用することができる汚れ防止マットを備えたおむつ替え具が提供される。
【００２５】
第８の発明に係るおむつ替え具によれば、吸水シートが吸収した水分の滑り止め層への浸入が阻止されるので、水分に対する吸収効果を高めつつ、水分の浸入による滑り止め層の劣化を防止することができるおむつ替え具が提供される。
【００２６】
第９の発明に係るおむつ替え具によれば、汚れ防止マットが板状部への装着に好適な滑り止め層として、表面側に開口した複数の微小気泡を有し、吸着性とともに剥離性に優れた樹脂の層を備えているので、装着及び取外しを繰り返して継続使用する用途に適した汚れ防止マットを備えたおむつ替え具が提供される。
【００２７】
第１０の発明に係るおむつ替え具によれば、複数の凸条を離隔させて並べた滑り止め層によって、板状部への装着に好適な構造を有する汚れ防止マットを備えたおむつ替え具が提供される。
【図面の簡単な説明】
【００２８】
【図１】本発明に係るおむつ替え具の１つの構成部材を示す平面図である。
【図２】図１に示す構成部材の側面図である。
【図３】図１に示す構成部材の他の状態を示す側面図である。
【図４】本発明に係るおむつ替え具の他の構成部材を示す平面図である。
【図５】図４に示す構成部材の側面図である。
【図６】図４に示す構成部材の他の状態を示す側面図である。
【図７】本発明に係るおむつ替え具の更に他の構成部材を示す裏面図である。
【図８】図７に示す構成部材の側面図である。
【図９】本発明に係るおむつ替え具の使用状態を示す斜視図である。
【図１０】本発明に係るおむつ替え具の使用状態を示す断面図である。
【図１１】本発明に係るおむつ替え具の収納状態を示す断面図である。
【図１２】本発明の他の実施形態に係るおむつ替え具の構成部材を示す側面図である。
【図１３】図１２に示す構成部材の他の状態を示す側面図である。
【図１４】本発明の他の実施形態に係るおむつ替え具の構成部材を示す側面図である。
【図１５】図１４に示す構成部材の他の状態を示す側面図である。
【図１６】図１４に示す構成部材の他の状態を示す側面図である。
【図１７】本発明の他の実施形態に係るおむつ替え具の構成部材を示す側面図である。
【発明を実施するための形態】
【００２９】
以下、本発明に係るおむつ替え具の実施の形態について、図面に基づいて説明する。
図１は本発明に係るおむつ替え具の１つの構成部材を示す平面図、図２は図１に示す構成部材の側面図、図３は図１に示す構成部材の他の状態を示す側面図である。
【００３０】
図１に示す構成部材は、２つの板状部１ａ，１ｂを有し、該２つの板状部１ａ，１ｂを折りたたんだ状態（図３）及び略面一となるように広げた状態（図２）に変更可能な基体１である。基体１は２つの板状部１ａ，１ｂを広げた状態で略長方形であり、４角部が円弧状に丸くなっている。具体的には、２つの板状部１ａ，１ｂは、１つの板材に溝１ｃを設けて区画して形成してある。板材は、ポリエステル繊維を互いにからませて集合してなり、約１０ｍｍ程度の厚さの不織布であるが、ポリエステル繊維以外の不織布、あるいは他の合成樹脂の厚肉のフィルムでもよい。溝１ｃの深さは約７〜８ｍｍである。
【００３１】
板材は厚さが１０ｍｍ程度と厚いので、適度の弾力性を有しながらも屈曲することはない。一方、溝１ｃの底部箇所では厚さが２〜３ｍｍ程度と薄くなるので、折り曲げに対して柔軟性を有するとともに、不織布を構成する繊維同士がからまって結合するので、多数回の折り曲げが可能となる。２つの板状部１ａ，１ｂは溝１ｃの箇所で端部同士が突き当たって略面一となる。その結果、略面一となる状態で隣り合う２つの板状部１ａ，１ｂの端部同士が折り曲げ自在に結合される。
【００３２】
図４は本発明に係るおむつ替え具の他の構成部材を示す平面図、図５は図４に示す構成部材の側面図、図６は図４に示す構成部材の他の状態を示す側面図である。
【００３３】
図４に示す構成部材は、直方体形状の２個の弾性部材２ａ，２ｂを有し、該２個の弾性部材２ａ，２ｂを互いに面同士で接触させたときに該接触した面と直交する方向の一方の面同士に亘って可撓性シート３を接着して連結してある弾性体２である。各弾性部材２ａ，２ｂは断面が扁平で細長い直方体形状であり、各弾性部材２ａ，２ｂを扁平な面に直交する面同士を接触させた状態で可撓性シート３を接着して連結してある。扁平な面に直交する面同士を接触させた状態では弾性体２の厚さＴは薄く（図５）、可撓性シート３の箇所で折り曲げて重ねることにより（図６）、２倍の厚さ２Ｔになり、弾性体３の厚さを２段階に変更できる。
【００３４】
弾性部材２ａ，２ｂはポリウレタン樹脂のスポンジで構成してあるが、他の合成樹脂の弾性材料でもよい。可撓性シート３はテープ状のポリエステル繊維からなる不織布であり、接着剤によって弾性部材２ａ，２ｂに接着してある。可撓性シート３は他の合成樹脂のテープ状の材料でもよい。
【００３５】
図７は本発明に係るおむつ替え具の更に他の構成部材を示す裏面図、図８は図７に示す構成部材の側面図である。
【００３６】
図７に示す構成部材は、吸収した水分を拡散させる拡散性を有する吸水シート４ａを上側に備え、該吸水シート４ａの下面に滑り止め層４ｂを形成してある汚れ防止マット４である。汚れ防止マット４は、２つの板状部１ａ，１ｂを広げた状態の基体１と同一の寸法の略長方形をなす。吸水シート４ａは吸水性及び拡散性に優れ、その結果、速乾性を有する繊維、具体的には、１ｍｍ程度の厚さのポリエステル繊維を使用している。ただし吸水性及び拡散性に優れた他の合成繊維材料を使用してもよい。
【００３７】
滑り止め層４ｂは、厚さ０．５ｍｍ程度のアクリル樹脂の塗布層であり、１．５〜２ｍｍ程度の幅を有する山型の凸条４ｃが滑り止め層４ｂの表面に３ｍｍ程度のピッチで複数並ぶように塗布して形成してある。尚、隣接する凸条４ｃの間の部分にも層厚は薄くなるがアクリル樹脂の塗布層が存在する。アクリル樹脂の材料は、例えばアクリル系の合成樹脂（粘着性を有するアクリル酸エステル共重合体及び熱可塑性繊維と良好に相溶するメチルメタアクリレートブタジエン共重合体）を主成分とするエマルジョン、発泡剤等を含む組成物である。この滑り止め層４ｂにより、表面に開口し、吸着作用をなす複数の微小気泡を有する樹脂層が形成される。またアクリル樹脂自体が粘着性を有するので該樹脂層は一部、粘着層としても働く。
【００３８】
図９は本発明に係るおむつ替え具の使用状態を示す斜視図、図１０は本発明に係るおむつ替え具の使用状態を示す断面図である。
２個の弾性部材２ａ，２ｂを可撓性シート３の箇所で折り曲げて厚さ２Ｔとした弾性体２（図６）を車体後部側が低くなるように傾斜した座席シート５の高さが低い側に配置し、溝１ｃを上にした状態で２つの板状部１ａ，１ｂを広げた基体１の各板状部１ａ，１ｂの一端を弾性体２の上に載せ、他端を座席シート５の高さが高い側に置いて、基体１を水平状態になるようにする。そして、滑り止め層４ｂを下側にした汚れ防止マット４を基体１の上に装着し、この汚れ防止マット４の上に幼児を寝かせておむつ替えをする。
【００３９】
図１１は本発明に係るおむつ替え具の収納状態の一例を示す断面図である。基体１は２つの板状部１ａ，１ｂを折りたたんだ状態にし、汚れ防止マット４は折りたたんだ２つの板状部１ａ，１ｂの外面に滑り止め層４ｂを内側にして巻き付け、これに厚さが薄くなるようにした弾性体２を重ねて、コンパクトにしたものを袋６内に収納している。
【００４０】
図１２は本発明の他の実施形態に係るおむつ替え具の構成部材を示す側面図、図１３は図１２に示す構成部材の他の状態を示す側面図である。
前述の実施形態では、基体１は２つの板状部１ａ，１ｂを有していたが、当該他の実施形態では、基体１は３つの板状部１ａ，１ｂ，１ｄを有し、該３つの板状部１ａ，１ｂ，１ｄを折りたたんだ状態（図１３）及び略面一となるように広げた状態（図１２）に変更可能である。そのため、板状部１ｂと板状部１ｄとを区画する溝１ｅを、板状部１ａと板状部１ｂとを区画する溝１ｃの側とは反対の板材の面に設けてある。
【００４１】
図１４は本発明の他の実施形態に係るおむつ替え具の構成部材を示す側面図、図１５及び図１６は図１４に示す構成部材の他の状態を示す側面図である。
前述の実施形態では、弾性体３は２個の弾性部材２ａ，２ｂを有していたが、当該他の実施形態では、弾性体３は３個の弾性部材２ａ，２ｂ，２ｃを有し、該３個の弾性部材２ａ，２ｂ，２ｃを互いに面同士で接触させて所定方向に並べたとき（図１４）に隣接する２つの弾性部材２ａ，２ｂを並び方向と直交する方向の一方の面同士に亘って可撓性シート３ａを接着して連結し、さらに、該一方の面に可撓性シート３を接着した弾性部材２ｂと該弾性部材２ｂに並び方向で次に隣接する弾性部材２ｃとを並び方向と直交する方向の他方の面同士に亘って可撓性シート３ｂを接着して連結してある。これにより、２個の弾性部材２ａ，２ｂを重ねた状態と、３個の弾性部材２ａ，２ｂ，２ｃを重ねた状態とが可能であり、弾性体３の厚さを３段階に変更できる。
【００４２】
図１７は本発明の他の実施形態に係るおむつ替え具の構成部材を示す側面図である。前述の実施形態の汚れ防止マット４では、吸水シート４ａの下面に滑り止め層４ｂを形成したが、吸水シート４ａと滑り止め層４ｂの間に防水層４ｄを備えている。
防水層４ｄは例えば防水性を有するポリエステル繊維からなる約０．１ｍｍ程度の厚さの不織布であるが、ポリエステル繊維以外の繊維、又は合成樹脂のフィルムでもよい。
【符号の説明】
【００４３】
１    基体
１ａ  板状部
１ｂ  板状部
１ｃ  溝
１ｄ  板状部
１ｅ  溝
２    弾性体
２ａ  弾性部材
２ｂ  弾性部材
２ｃ  弾性部材
３    可撓性シート
３ａ  可撓性シート
３ｂ  可撓性シート
４    汚れ防止マット
４ａ  吸水シート
４ｂ  滑り止め層
４ｃ  凸条
４ｄ  防水層
【図１】
2010184078.tif 000003
【図２】
2010184078.tif 000004
【図３】
2010184078.tif 000005
【図４】
2010184078.tif 000006
【図５】
2010184078.tif 000007
【図６】
2010184078.tif 000008
【図７】
2010184078.tif 000009
【図８】
2010184078.tif 000010
【図９】
2010184078.tif 000011
【図１０】
2010184078.tif 000012
【図１１】
2010184078.tif 000013
【図１２】
2010184078.tif 000014
【図１３】
2010184078.tif 000015
【図１４】
2010184078.tif 000016
【図１５】
2010184078.tif 000017
【図１６】
2010184078.tif 000018
【図１７】
2010184078.tif 000019